(57)【要約】【課題】  光ディスクを縦方向に保持して再生及び／又は記録動作する光ディスク装置において、光ディスクを装着する際の装着ミスによる光ディスクの落下を防止する。【解決手段】  光ディスク装置１のトレイ２は、光ディスク１０を受け止めるディスク受け部４と、収納部３の突出部３２と当接する当接部５と、回動軸６１を中心に回動するレバー６とを有している。イジェクト状態では、ディスク受け部４は、レバー６の回動軸６１に取り付けられたバネ６２によって光ディスク１０を受け止めることができる位置に配置されており、装着される光ディスク１０を受け止めて落下を防止する。一方、ローディング動作時には、ディスク受け部４は、当接部５が突出部３２で押圧されることによって回動し、光ディスク装置１の再生／記録動作に影響を与えない位置に移動する。【選択図】図２
2005129107.tif 000002
【特許請求の範囲】
【請求項１】
光ディスクを縦方向に装着して回転するターンテーブルを有するトレイと、このトレイを収納する収納部とを備え、前記トレイを前記ターンテーブルに装着された光ディスクの記録面に対して平行にスライド移動させてローディング及びイジェクト動作する光ディスク装置において、
前記収納部には、該収納部の入口側から奥側に向けて次第に高くなる斜面と、この斜面に連続してその斜面の頂上の高さで一定となる平面とを有するカム用の突出部が設けられ、
前記トレイには、
該トレイの移動方向に伸びた回動軸を中心に回動するレバーと、
このレバーと一体で前記ターンテーブルに光ディスクが装着される際に該光ディスクをガイドすると共に、光ディスクを受け止め、ディスク装着面に対して前後方向に揺動自在で、かつ、バネによって、光ディスクを受け止めることができるディスク受け位置に回動付勢されたディスク受け部と、
このディスク受け部と一体的であって、前記トレイのローディング動作時及びローディング完了時に前記収納部の突出部が当接される前記収納部の入口側に向けて次第に低くなる斜面を有するカム用の当接部とが設けられ、
前記レバーは、前記トレイのローディング動作時に、前記当接部の斜面が前記突出部の斜面に沿って押圧されることにより前記バネの付勢力に抗して回動し、ローディング完了時に前記ディスク受け部を前記ターンテーブルに装着されている光ディスクと当接しない位置に移動させ、また、ローディング完了状態からイジェクト状態への移行時に前記バネの付勢力により前記ディスク受け部をディスクを受け止めることができる位置に復帰させることを特徴とする光ディスク装置。
【請求項２】
光ディスクを縦方向に装着して回転するターンテーブルを有するトレイと、このトレイを収納する収納部とを備え、前記トレイを前記ターンテーブルに装着された光ディスクの記録面に対して平行に移動させてローディング及びイジェクト動作する光ディスク装置において、
前記トレイは、前記ターンテーブルに光ディスクが装着される際に該光ディスクを受け止め、ディスク装着面に対して前後方向に揺動自在なディスク受け部を有し、
前記ディスク受け部は、トレイのイジェクト状態時に、光ディスクを受け止めることができる位置にあり、トレイのローディング動作時に、前記ターンテーブルに装着されている光ディスクと当接しない位置に移動するように構成されていることを特徴とする光ディスク装置。
【請求項３】
前記トレイのイジェクト及びローディング動作に伴い、前記ディスク受け部をディスク装着面に対して前後方向に揺動させるカム機構を備えていることを特徴とする請求項２に記載の光ディスク装置。
【発明の詳細な説明】
【技術分野】
【０００１】
本発明は、光ディスク装置に関するものであり、特に、光ディスクを縦方向に保持して使用する光ディスク装置に関する。
【背景技術】
【０００２】
従来から、光ディスクに対して情報の再生／記録を行う光ディスク装置において、図５に示されるように、光ディスクを縦方向に保持して使用する光ディスク装置が知られている。光ディスク装置１００は、トレイ２と、これを収納する収納部３とを備えており、ボタン３０を押すことにより、トレイ２がスライド移動してローディング及びイジェクト動作する。トレイ２は、光ディスク１０を保持するディスク保持部２１と、保持した光ディスク１０を駆動モータにより回転させるターンテーブル２２と、光ピックアップ２３とを備えている。光ディスク１０はディスク保持部２１に保持された状態でターンテーブル２２によって回転駆動され、光ピックアップ２３によって情報の再生／記録が行われる。このような装置１００は、装置正面の幅を小さくできる利点があり、例えば、タワー型パソコンなどに搭載される。しかしながら、このような装置１００では、ディスク保持部２１への光ディスク１０の装着をミスした場合、光ディスク１０が落下して破損してしまう虞があった。
【０００３】
一方、光ディスクを保持するための複数の可動式保持部材と、これら複数の可動式保持部材を連動させるリンク機構を備え、縦置き状態でも使用できる光ディスク装置が知られている（例えば、特許文献１参照）。また、トレイに、光ディスクの端面を斜面にて保持する固定保持部と、光ディスクの他端部側で光ディスクの端面を斜面にて保持する可動保持部とを備え、ターンテーブルへのチャッキング／チャッキング解除の動作に応じて可動保持部が移動し、チャッキング時に光ディスクの保持を解除することにより縦置き状態でも使用できる光ディスク装置や、トレイの外周に設けられた４つのロックアームで光ディスクを保持することにより、光ディスクをトレイに垂直に保持して光ディスク装置本体内にローディングし、ローディング完了後に保持の解除を行う光ディスク装置が知られている（例えば、特許文献２、特許文献３参照）。  
【特許文献１】特開２００１−１１０１１９号公報
【特許文献２】特開平１１−１６７７６０号公報
【特許文献３】特開平７−１５３１６３号公報
【発明の開示】
【発明が解決しようとする課題】
【０００４】
しかしながら、特許文献１乃至特許文献３に記載の発明においては、可動式保持部材や、固定保持部及び可動保持部、ロックアームにより光ディスクをトレイに垂直に保持してローディングすることができるものの、光ディスクの装着をミスした場合に光ディスクの落下を防ぐことを目的とするものではない。また、特許文献１乃至特許文献３に記載されている光ディスク装置は、光ディスクのローディング完了後に、光ディスクをターンテーブルにチャッキングするものであり、トレイ２にターンテーブルを有するものではなく、光ディスク装置１００とはイジェクト及びローディング時の動作機構が異なる。
【０００５】
本発明は、上述した問題点を解決するためになされたものであり、光ディスクを縦方向に装着して回転するターンテーブルを有するトレイと、このトレイを収納する収納部を備え、トレイがスライド移動してローディング及びイジェクト動作する光ディスク装置において、光ディスクの装着をミスした際に光ディスクの落下を防ぐことができる光ディスク装置を提供することを目的とする。
【課題を解決するための手段】
【０００６】
上記目的を達成するために請求項１の発明は、光ディスクを縦方向に装着して回転するターンテーブルを有するトレイと、このトレイを収納する収納部とを備え、前記トレイを前記ターンテーブルに装着された光ディスクの記録面に対して平行にスライド移動させてローディング及びイジェクト動作する光ディスク装置において、前記収納部には、該収納部の入口側から奥側に向けて次第に高くなる斜面と、この斜面に連続してその斜面の頂上の高さで一定となる平面とを有するカム用の突出部が設けられ、前記トレイには、該トレイの移動方向に伸びた回動軸を中心に回動するレバーと、このレバーと一体で前記ターンテーブルに光ディスクが装着される際に該光ディスクをガイドすると共に、光ディスクを受け止め、ディスク装着面に対して前後方向に揺動自在で、かつ、バネによって、光ディスクを受け止めることができるディスク受け位置に回動付勢されたディスク受け部と、このディスク受け部と一体的であって、前記トレイのローディング動作時及びローディング完了時に前記収納部の突出部が当接される前記収納部の入口側に向けて次第に低くなる斜面を有するカム用の当接部とが設けられ、前記レバーは、前記トレイのローディング動作時に、前記当接部の斜面が前記突出部の斜面に沿って押圧されることにより前記バネの付勢力に抗して回動し、ローディング完了時に前記ディスク受け部を前記ターンテーブルに装着されている光ディスクと当接しない位置に移動させ、また、ローディング完了状態からイジェクト状態への移行時に前記バネの付勢力により前記ディスク受け部をディスクを受け止めることができる位置に復帰させることを特徴とする。
【０００７】
この構成においては、トレイのイジェクト状態時には、ディスク受け部がレバーに加えられるバネの付勢力によってディスク受け位置に配置されるため、光ディスクをターンテーブルに装着する際、このディスク受け部を装着ガイドとして使用することができる共に、光ディスクの装着をミスした場合においてもディスク受け部で光ディスクを受け止めることができる。また、レバーは、トレイのローディング動作時に、当接部が収納部の突出部により押圧されることによってバネの付勢力に抗して回動し、ディスク受け部を再生及び／又は記録動作中の光ディスクと当接しない位置に移動させる。
【０００８】
請求項２の発明は、光ディスクを縦方向に装着して回転するターンテーブルを有するトレイと、このトレイを収納する収納部とを備え、前記トレイを前記ターンテーブルに装着された光ディスクの記録面に対して平行に移動させてローディング及びイジェクト動作する光ディスク装置において、前記トレイは、前記ターンテーブルに光ディスクが装着される際に該光ディスクを受け止め、ディスク装着面に対して前後方向に揺動自在なディスク受け部を有し、前記ディスク受け部は、トレイのイジェクト状態時に、光ディスクを受け止めることができる位置にあり、トレイのローディング動作時に、前記ターンテーブルに装着されている光ディスクと当接しない位置に移動するように構成されていることを特徴とする。
【０００９】
この構成においては、トレイのイジェクト状態時には、ディスク受け部が光ディスクを受け止めることができる位置に配置されるため、光ディスクをターンテーブルに装着する際、光ディスクの装着をミスした場合においてもディスク受け部で光ディスクを受け止めることができる。また、ローディング動作時には、ディスク受け部は、再生及び／又は記録動作中の光ディスクと当接しない位置に移動する。
【００１０】
請求項３の発明は、請求項２に記載の発明において、前記トレイのイジェクト及びローディング動作に伴い、前記ディスク受け部をディスク装着面に対して前後方向に揺動させるカム機構を備えていることを特徴とする。
【００１１】
この構成においては、トレイのイジェクト及びローディング動作をカム機構によりディスク受け部に伝達し、ディスク受け部を揺動させる。
【発明の効果】
【００１２】
以上のように請求項１の発明によれば、イジェクト状態時には、レバーに加えられるバネの付勢力によりディスク受け部がディスク受け位置に配置されるため、光ディスクをターンテーブルに装着する際、このディスク受け部を装着ガイドとして使用することができる共に、光ディスクの装着をミスした場合においてもディスク受け部で光ディスクを受け止めて落下を防ぐことができる。このため、光ディスクが落下して破損することがない。また、ローディング動作時には、ディスク受け部は、トレイの当接部が収納部の突出部により押圧されることによって、ターンテーブルに取り付けられた光ディスクと当接しない位置に移動するため、ディスク受け部が光ディスク装置の再生／記録動作に影響を与えることがなく、光ディスクに対して情報の再生及び／又は記録を行うことができる。
【００１３】
請求項２又は請求項３の発明によれば、イジェクト状態時には、ディスク受け部がディスクを受け止めることができる位置に配置されるため、光ディスクの装着をミスした場合においてもディスク受け部で光ディスクを受け止めることができ、装着ミスによる光ディスクの落下を防ぐことができる。また、ローディング動作時には、ディスク受け部はターンテーブルに取り付けられた光ディスクと当接しない位置に移動するため、ディスク受け部が光ディスク装置の再生／記録動作に影響を与えることはない。
【発明を実施するための最良の形態】
【００１４】
本発明の一実施形態による光ディスク装置について図１乃至図４を参照して説明する。光ディスク装置１は、ＣＤ（コンパクトディスク）やＤＶＤ（デジタルビデオディスク）等の光ディスク１０に対して、情報の再生及び／又は記録を行う装置であり、光ディスク１０を縦方向に保持して再生及び／又は記録動作を行う。
【００１５】
光ディスク装置１は、図１に示されるように、光ディスク１０が装着されるトレイ２と、このトレイ２を引き出し式にスライド移動して収納する収納部３とを備えている。トレイ２は、ボタン３０を押すことにより、装置１の本体内部に設けられた不図示の駆動機構によって、矢印Ａ方向にイジェクト又はローディング動作する。
【００１６】
トレイ２は、光ディスク１０を保持するためのディスク保持部２１、保持した光ディスク１０を駆動モータＭ（図２参照）により回転させるターンテーブル２２、光ディスク１０のデータを読み取る光ピックアップ２３及びフロントカバー２４と、本発明の特徴であるディスク受け部４を備えている。なお、図２においてトレイ２のフロントカバー２４の図示を省いており、図３及び図４において駆動モータＭの図示を省いている。また、図３及び図４において装置１の本体内部に存在するトレイ２及び収納部３を実線で示している。
【００１７】
ディスク受け部４は、ディスク保持部２１に装着される光ディスク１０をガイドすると共に受け止めるためのものであり、ターンテーブル２２に装着された光ディスク１０に対して前後方向に揺動自在にトレイ２に設けられている。ディスク受け部４は、装着される光ディスク１０を下方から受け止めることができるように、トレイ２の光ディスク１０が装着される側の面（以下、ディスク装着面という）２０の下側に、左右それぞれ一つずつ設けられている。また、ディスク受け部４の背面側には、光ディスク１０を受け止めた際、光ディスク１０のセンターホール１０ａがディスク保持部２１近傍に配置されるように光ディスク１０をガイドする溝４ａが設けられている。このディスク受け部４には、レバー６を介在してカム用の当節部５が設けられている。この当接部５は、収納部３の入口側に向けて次第に低くなる斜面５ａを有し、トレイ２のローディング動作時及びローディング完了時に収納部３の後述する突出部３２に当接される。
【００１８】
レバー６は、トレイ２のディスク装着面２０の裏側に、矢印Ａ方向に伸びた回動軸６１により回動自在に設けられている。図１及び図４に示されるように、ディスク受け部４は、レバー６の回動軸６１からディスク装着面２０に設けられた開口部４０を通ってディスク装着面２０の表側に延設され、当接部５は、回動軸６１から下方向に伸び、ディスク装着面２０に設けられた開口部５０を通ってディスク装着面２０の表側に延設されている。また、レバー６は、回動軸６１に取り付けられたバネ６２によってディスク受け部４が光ディスク１０を受け止めることができるディスク受け位置に移動するように矢印Ｃ方向（図２参照）に回動付勢され、イジェクト状態では、ディスク受け部４はディスク受け位置に配置される。
【００１９】
収納部３は、図３に示されるように、ターンテーブル２２に装着された光ディスク１０との対向面３１に、収納部３の入口側から奥側に向けて次第に対向面３１からの高さが高くなる斜面３２ａと、この斜面３２ａに連続してその斜面３２ａの頂上の高さで一定となる平面３２ｂとを有するカム用の突出部３２が設けられている。カム機構は、突出部３２と当接部５により構成されている。
【００２０】
次に、光ディスク１０をディスク保持部２１に装着する際の手順を図１及び図２（ａ）を参照して説明する。光ディスク１０を矢印Ｂ方向からディスク受け部４に挿入する。ディスク受け部４に挿入された光ディスク１０は、ディスク受け部４の溝４ａで受け止められる。ディスク受け部４で受け止められた光ディスク１０は、そのセンターホール１０ａがディスク保持部２１近傍に配置されるように溝４ａで支持される。この状態から光ディスク１０をトレイ２側に押し込み、光ディスク１０のセンターホール１０ａをディスク保持部２１に嵌合させる。光ディスク１０は、このようにしてディスク保持部２１に取り付けられ、ディスク保持部２１及びターンテーブル２２以外の部分とは非接触状態でターンテーブル２２によって回転駆動され、光ピックアップ２３によって情報の再生及び／又は記録が行われる。このように、ディスク受け部４は、光ディスク１０を装着する際、装着ガイドとして機能するため、容易に光ディスク１０をディスク保持部２１に装着することができる。
【００２１】
上記光ディスク１０の装着は、トレイ２が装置１の手前方向に送出されて配置されている図２（ａ），図３（ａ），図４（ａ）に示されるトレイ２のイジェクト状態時になされる。このとき、ディスク受け部４は、レバー６に加えられるバネ６２の付勢力によって、ディスク受け位置に配置されている。ディスク受け位置に配置されたディスク受け部４は、光ディスク１０の装着をガイドすると共に、ユーザが光ディスク１０の装着をミスした場合においても光ディスク１０を受け止めて光ディスク１０の落下を防止する。このため、光ディスク１０が落下して破損することがない。
【００２２】
次に、ローディング動作について図２（ｂ），図３（ｂ），図４（ｂ）を参照して説明する。ボタン３０が押されると、トレイ２は矢印Ａ方向にスライド移動してローディング動作を開始する。トレイ２が収納部３内にローディングされると、トレイ２の当接部５の斜面５ａが収納部３に設けられた突出部３２の斜面３２ａと当接する。さらに、トレイ２がローディングされると、図３（ａ）の矢印Ｄに示されるように、当接部５が突出部３２によって押圧されながら斜面３２ａに沿って平面３２ｂまで移動する。当接部５が突出部３２によって押圧されることにより、レバー６はバネ６２の力に抗してバネ６２の付勢力とは逆の矢印Ｅ方向に回動軸６１を中心に回動する。レバー６が矢印Ｅ方向に回動することにより、ディスク受け部４は、ターンテーブル２２に装着された光ディスク１０に対して前方向に揺動し、ローディング完了状態では、ターンテーブル２２に保持された光ディスク１０と当接しない位置に移動する。このため、ディスク受け部４が光ディスク装置１の再生／記録動作に影響を与えることがなく、光ディスク１０に対して情報の再生及び／又は記録を行うことができる。
【００２３】
なお、本発明は上記実施形態の構成に限られることなく種々の変形が可能である。例えば、トレイ２のローディング及びイジェクト動作をディスク受け部４の揺動動作に伝達する手段としては、突出部３２及び当接部５の組み合わせに限られず、トレイ２の動作をディスク受け部４に伝達できる任意のカム機構やスイッチと駆動手段を用いることができる。トレイ２のローディング及びイジェクト動作は、ボタン３０により操作されるものに限られず、トレイ２を所定の力で押し込むとローディング又はイジェクト動作が開始されるようにしてもよい。
【図面の簡単な説明】
【００２４】
【図１】本発明の一実施形態による光ディスク装置を示す斜視図。
【図２】（ａ）は同装置のイジェクト状態を示す正面図、（ｂ）はローディング完了状態を示す正面図。
【図３】（ａ）は同装置のイジェクト状態を示す上面図、（ｂ）はローディング完了状態を示す上面図。
【図４】（ａ）は同装置のイジェクト状態を示す側面図、（ｂ）はローディング完了状態を示す側面図。
【図５】従来の縦置き型光ディスク装置の斜視図。
【符号の説明】
【００２５】
１    光ディスク装置
２    トレイ
３    収納部
４    ディスク受け部
５    当接部（カム機構）
５ａ    斜面
６    レバー  
１０    光ディスク
２０    ディスク装着面
２２    ターンテーブル
３２    突出部（カム機構）
３２ａ    斜面
３２ｂ    平面
６１    回動軸
６２    バネ
【図１】
2005129107.tif 000003
【図２】
2005129107.tif 000004
【図３】
2005129107.tif 000005
【図４】
2005129107.tif 000006
【図５】
2005129107.tif 000007